(57)【要約】      （修正有）【課題】携帯端末、特に携帯電話機の電力消費量や、これを発生するために生成される温暖化ガス排出量などを、エンドユーザに正確、かつ定量的に表示できるようにする。【解決手段】制御部は、充電の開始に際して、充電電源が商用電源である場合に、携帯電話機の現在位置を含むエリアを把握し、把握したエリアに電力を提供している電力会社のサーバにインターネット経由でアクセスして、発電電力の発電方法別の割合や発電方法別の温暖化ガスの発生量を含む電力情報を取得して記憶する。制御部はまた、充電動作が終了すると、電源処理部から充電終了時の充電器の残量を得て充電後電池残量として記憶し、前記電力情報と前記充電前電池残量及び充電後電池残量から、充電のために供給された電力量と、これを発電するために発生する温暖化ガス排出量を算出して画像表示部に表示させる。【選択図】図２
2011109586.tif 000002
【特許請求の範囲】
【請求項１】
無線ネットワークを介してインターネットにアクセスする通信処理手段と、外部電源から充電器を介して内蔵の充電池に対して充電を行なう電源処理手段と、画像表示手段と、前記各部を制御する制御手段と、を含み、
前記制御手段は、前記充電の開始に際して、
前記電源処理手段から現在の充電器の残量を得て充電前電池残量として記憶する動作と、
充電電源が商用電源であるかを判別する判別動作と、
前記充電電源が商用電源である場合に、前記通信処理手段を起動して在圏セル情報に基づいて携帯端末の現在位置を含むエリアを把握する動作と、
前記通信処理手段により、把握したエリアに電力を提供している電力会社のサーバにインターネット経由でアクセスして、発電電力の発電方法別の割合や発電方法別の温暖化ガスの発生量を含む電力情報を取得して記憶する動作と、を実行する機能を有し、
前記制御手段はまた、前記充電動作が終了すると、
前記電源処理手段から充電終了時の充電器の残量を得て充電後電池残量として記憶する動作と、
前記電力情報と前記充電前電池残量及び充電後電池残量から、充電のために供給された電力量と、これを発電するために発生する温暖化ガス排出量を算出して前記画像表示手段に表示させる動作と、を実行する機能を有することを特徴とする携帯端末。
【請求項２】
請求項１に記載の携帯端末において、更にＧＰＳ手段を備えることにより、前記制御手段は、前記携帯端末の現在位置を含むエリアの把握を、前記在圏セル情報に代えて、前記ＧＰＳ手段により把握することを特徴とする携帯端末。
【請求項３】
無線ネットワークを介してインターネットにアクセスする通信処理手段と、外部電源から充電器を介して内蔵の充電池に対して充電を行なう電源処理手段と、画像表示手段と、前記各部を制御する制御手段と、を含む携帯端末の表示方法であって、
前記充電の開始に際して、
現在の充電器の残量を充電前電池残量として記憶する処理と、
充電電源が商用電源であるかを判別する判別処理と、
前記充電電源が商用電源である場合に、前記通信処理手段を起動して在圏セル情報に基づいて携帯端末の現在位置を含むエリアを把握する処理と、
前記通信処理手段により、把握したエリアに電力を提供している電力会社のサーバにインターネット経由でアクセスして、発電電力の発電方法別の割合や発電方法別の温暖化ガスの発生量を含む電力情報を取得して記憶する処理と、を実行し、
前記充電動作が終了すると、
充電終了時の充電器の残量を充電後電池残量として記憶する処理と、
前記電力情報と前記充電前電池残量及び充電後電池残量から、充電のために供給された電力量と、これを発電するために発生する温暖化ガス排出量を算出して前記画像表示手段に表示させる処理と、を実行することを特徴とする携帯端末の表示方法。
【請求項４】
請求項３に記載の携帯端末の表示方法において、更にＧＰＳ手段を備えることにより、前記携帯端末の現在位置を含むエリアの把握を、前記在圏セル情報に代えて、前記ＧＰＳ手段により把握することを特徴とする携帯端末の表示方法。
【請求項５】
無線ネットワークを介してインターネットにアクセスする通信処理手段と、外部電源から充電器を介して内蔵の充電池に対して充電を行なう電源処理手段と、画像表示手段と、前記各部を制御する制御手段と、を含む携帯端末に適用され、前記制御手段として機能するコンピュータに、
前記充電の開始に際して、
現在の充電器の残量を充電前電池残量として記憶するステップと、
充電電源が商用電源であるかを判別するステップと、
前記充電電源が商用電源である場合に、前記通信処理手段を起動して在圏セル情報に基づいて携帯端末の現在位置を含むエリアを把握するステップと、
前記通信処理手段により、把握したエリアに電力を提供している電力会社のサーバにインターネット経由でアクセスして、発電電力の発電方法別の割合や発電方法別の温暖化ガスの発生量を含む電力情報を取得して記憶するステップと、を実行させると共に、
前記充電動作が終了すると、
充電終了時の充電器の残量を充電後電池残量として記憶するステップと、
前記電力情報と前記充電前電池残量及び充電後電池残量から、充電のために供給された電力量と、これを発電するために発生する温暖化ガス排出量を算出して前記画像表示手段に表示させるステップと、を実行させるためのプログラム。
【発明の詳細な説明】
【技術分野】
【０００１】
本発明は画像表示部を備えた携帯端末に関し、特に携帯電話機などの携帯端末に関する。
【背景技術】
【０００２】
本発明の背景となる近年の事象をいくつか列挙する。 
１．国家、全世界レベルでの地球温暖化対策意識の高まり。 
２．環境に配慮した工業製品の開発の急速化(電気自動車その他)。 
３．風力、太陽光などを利用したクリーンエネルギーの積極的利用。 
４．スマートグリッドと呼ばれる、より知能化されたエネルギー供給方式の検討。
【０００３】
上記のような背景から、電力発電方法が多様化し、かつスマートグリッドによりそれらを組み合わせて、効率的に電力供給するなど、環境に配慮した社会インフラ基盤の構築が進められることが期待されている。
【０００４】
例えば特許文献１には、各家庭において電力使用量に応じたＣＯ２排出量を表示できるようにしたＣＯ２排出量表示装置が提案されている。この装置は以下のようにして実現される。各家屋に設置された電気メータにＣＯ２表示器を接続し、電力会社のホストコンピュータから所定のタイミングでＣＯ２計算用データを電気メータに送信する。電気メータは設置された家屋の電力使用量とＣＯ２計算用データをＣＯ２表示器に送る。ＣＯ２表示器は送られてきた電力使用量とＣＯ２計算用データを用いてあらかじめ定められた演算処理を行なってＣＯ２排出量を算出し表示する。
【０００５】
一方で携帯端末、中でも携帯電話機は、機器自体が小型であることなどから、上記のような取り組みとは離れた位置にあるように捉えられがちであり、各ユーザが環境を意識する機会を得るのが難しい工業製品であると言える。
【０００６】
携帯電話機は電池によって駆動するため、携帯電話機そのものが二酸化炭素などを発生するわけではない。また機器自体が小型であるため、１台当たりで発生する熱量なども決して大きくはなく、通常の利用において環境への影響をユーザが気にする機会はほとんどないと言える。あえて挙げれば、携帯電話機本体や電池パックの廃棄の際にリサイクルを意図する程度に留まる。
【０００７】
しかし実際には、携帯電話機で消費する電力も、そもそもは家庭やオフィスなどにおいて供給を受けている電力を蓄電しているのであり、間接的には環境に影響を与えている。しかしながら、このような情報を携帯電話機のユーザは知ることが出来ない。
【先行技術文献】
【特許文献】
【０００８】
【特許文献１】特開２００８−９７３０３（段落［０００９］−［００１３］参照）
【発明の概要】
【発明が解決しようとする課題】
【０００９】
本発明は、日常の利用の中で、携帯端末、中でも携帯電話機が消費するエネルギー量をユーザが意識し、効率的に利用することを促すものである。
【００１０】
携帯電話機は個人の生活に密着する機器であるため、携帯電話機の利用を通じて、個人の活動が環境に及ぼす影響をも知り得ることに繋がる。
【００１１】
本来であれば、基地局などのＮＷ（ネットワーク）設備や、携帯電話機の生産工程などで発生する温暖化ガス（ＣＯ２ガス）なども、いわゆるカーボンフットプリントとして携帯電話機に明示することなども期待される。
【００１２】
しかし、本発明では上記のような観点から、個人の使用による携帯端末、特に携帯電話機の電力消費量や、これを発生するために生成される温暖化ガス排出量などを、エンドユーザに正確、かつ定量的に表示できるようにすることを目的としている。
【課題を解決するための手段】
【００１３】
本発明は、携帯電話機に適用する場合について言えば、携帯電話機に内蔵された充電池への充電時の電力消費状況により、個々の携帯電話機による温暖化ガス排出量を算出、表示する機能を実現することを特徴とする。
【００１４】
本発明における前提として、電力会社が、電力を供給しているエリア／時間における供給電力の発電方法別の割合(火力、水力、原子力、その他)や各発電方法別の温暖化ガス排出量などの情報を、インターネットを経由して公開配信するサービスを提供していることを挙げる。
【００１５】
携帯電話機は充電時に、在圏セルの情報やＧＰＳ（Ｇｌｏｂａｌ  Ｐｏｓｉｔｉｏｎｉｎｇ  Ｓｙｓｔｅｍ）によって現在地（エリア）を特定し、インターネットを通じて自機に供給される商用電源の電力構成を知ることが出来る。
【００１６】
その結果と携帯電話機の充電によって消費された電力量により、１回あたりの携帯電話機の充電により、どれほどの温暖化ガスが排出されたか、などをユーザが知ることが可能となる。
【００１７】
本発明の態様による携帯端末は、無線ネットワークを介してインターネットにアクセスする通信処理手段と、外部電源から充電器を介して内蔵の充電池に対して充電を行なう前記電源処理手段と、画像表示手段と、前記各部を制御する制御手段と、を含む。
【００１８】
前記制御手段は、前記充電の開始に際して、前記電源処理手段から現在の充電器の残量を得て充電前電池残量として記憶する動作と、充電電源が商用電源であるかを判別する判別動作と、前記充電電源が商用電源である場合に、前記通信処理手段を起動して在圏セル情報に基づいて携帯端末の現在位置を含むエリアを把握する動作と、前記通信処理手段により、把握したエリアに電力を提供している電力会社のサーバにインターネット経由でアクセスして、発電電力の発電方法別の割合や発電方法別の温暖化ガスの発生量を含む電力情報を取得して記憶する動作と、を実行する機能を有する。前記制御手段はまた、前記充電動作が終了すると、前記電源処理手段から充電終了時の充電器の残量を得て充電後電池残量として記憶する動作と、前記電力情報と前記充電前電池残量及び充電後電池残量から、充電のために供給された電力量と、これを発電するために発生する温暖化ガス排出量を算出して前記画像表示手段に表示させる動作と、を実行する機能を有する。
【００１９】
本発明の他の態様によれば、無線ネットワークを介してインターネットにアクセスする通信処理手段と、外部電源から充電器を介して内蔵の充電池に対して充電を行なう電源処理手段と、画像表示手段と、前記各部を制御する制御手段と、を含む携帯端末の表示方法が提供される。
【００２０】
本表示方法においては、前記充電の開始に際して、現在の充電器の残量を充電前電池残量として記憶する処理と、充電電源が商用電源であるかを判別する判別処理と、前記充電電源が商用電源である場合に、前記通信処理手段を起動して在圏セル情報に基づいて携帯端末の現在位置を含むエリアを把握する処理と、前記通信処理手段により、把握したエリアに電力を提供している電力会社のサーバにインターネット経由でアクセスして、発電電力の発電方法別の割合や発電方法別の温暖化ガスの発生量を含む電力情報を取得して記憶する処理と、を実行し、前記充電動作が終了すると、充電終了時の充電器の残量を充電後電池残量として記憶する処理と、前記電力情報と前記充電前電池残量及び充電後電池残量から、充電のために供給された電力量と、これを発電するために発生する温暖化ガス排出量を算出して前記画像表示手段に表示させる処理と、を実行する。
【００２１】
なお、上記いずれの態様においても、更にＧＰＳ手段を備えることにより、前記携帯端末の現在位置を含むエリアの把握を、前記在圏セル情報に代えて、前記ＧＰＳ手段により把握するようにしても良い。
【００２２】
本発明によれば更に、無線ネットワークを介してインターネットにアクセスする通信処理手段と、外部電源から充電器を介して内蔵の充電池に対して充電を行なう電源処理手段と、画像表示手段と、前記各部を制御する制御手段と、を含む携帯端末に適用され、前記制御手段として機能するコンピュータに、前記充電の開始に際して、現在の充電器の残量を充電前電池残量として記憶するステップと、充電電源が商用電源であるかを判別するステップと、前記充電電源が商用電源である場合に、前記通信処理手段を起動して在圏セル情報に基づいて携帯端末の現在位置を含むエリアを把握するステップと、前記通信処理手段により、把握したエリアに電力を提供している電力会社のサーバにインターネット経由でアクセスして、発電電力の発電方法別の割合や発電方法別の温暖化ガスの発生量を含む電力情報を取得して記憶するステップと、を実行させると共に、前記充電動作が終了すると、充電終了時の充電器の残量を充電後電池残量として記憶するステップと、前記電力情報と前記充電前電池残量及び充電後電池残量から、充電のために供給された電力量と、これを発電するために発生する温暖化ガス排出量を算出して前記画像表示手段に表示させるステップと、を実行させるためのプログラムが提供される。
【発明の効果】
【００２３】
本発明によれば、携帯端末で使用した電力量を知り、これを発生するために生成される温暖化ガス排出量を、画像表示部によりユーザに表示提供することができる。それにより携帯端末を有するユーザ個々の環境意識を高め、より効率的な電力消費を促すことが期待できる。
【図面の簡単な説明】
【００２４】
【図１】本発明の実施例を説明するために家庭における携帯電話機充電の構成を示した図である。
【図２】本発明の実施例に必要な携帯電話機の構成例を示した図である。
【図３】図２の携帯電話機に充電器が装着され、充電が開始される際の動作を説明するためのフローチャート図である。
【図４】図３の充電過程を経て充電された携帯電話機において、充電が終了した後の動作を説明するためのフローチャート図である。
【発明を実施するための形態】
【００２５】
［実施例の構成］
図１に本発明の実施例の構成を示す。
【００２６】
図１は本発明の実施例に必要なシステム例として、家庭における携帯電話機充電の構成を示している。
【００２７】
一般的な電力流通のしくみとして、発電設備１０により発生した電力は変電所２０を経由して送電され、各家庭に配電される。発電設備１０としては、家庭用発電機(太陽電池など)３０も想定される。これらの電力は家庭用分電盤４０より家庭内各所に分電される。携帯電話機１００はこのようにして得られた電力で充電される。
【００２８】
本発明の実施例において、電力を供給する電力会社は、発電設備１０の構成などを公開し、インターネットを経由してアクセス可能なサーバを有しているものとする(電力会社のサーバ２５)。携帯電話機１００は、無線ネットワークを介してインターネットにアクセスし、電力会社のサーバ２５から、発電電力の方法別の割合(火力、水力、原子力、その他)や各々の温暖化ガス発生量などの情報を入手することができる。
【００２９】
図２は本発明の実施例に必要な携帯電話機の構成例を示す。
【００３０】
携帯電話機１００は、充電時は外部ＩＦ（Ｉｎｔｅｒｆａｃｅ）１０１を経由して受電し、電源処理部１０２により充電池１０３に充電する。充電状態は電源処理部１０２を介して、アプリケーション処理部１０４もしくは通信処理部１０５により監視される。通信処理部１０５はまた無線ネットワークへのアクセスを可能とする。
【００３１】
また図２において、携帯電話機１００は現在位置を特定するためにＧＰＳ１０６を有するが、後述するように、現在位置の特定には無線ネットワークにより得られる在圏エリア情報(Ｃｅｌｌ−ＩＤや、アプリケーション処理部１０４がサーバ２５より取得するエリア情報など)を用いても良い。つまり、携帯電話機１００の現在位置は、少なくとも市町村程度の範囲のエリアがわかれば良く、正確な位置でなくても良い。携帯電話機１００は、上記の構成要素のほかに、携帯電話機としての機能を発揮するために必要な要素を備えるが、本発明の要旨ではないので、図示、説明は省略する。
【００３２】
図１において、携帯電話機１００が電力会社のサーバ２５から得る供給電力の情報は、不揮発メモリ１１０もしくはＲＡＭ１２０内に格納されることとする。また、携帯電話機１００自体が太陽電池などの発電機構１３０を備える場合もある。このような発電機構１３０で生成した電力も電源処理部１０２を介した充電に利用される。
【００３３】
［実施例の動作］
図３、図４に本発明の実施例の動作のフローチャートを示す。
【００３４】
図３は、携帯電話機１００に充電器が装着され、充電が開始される際の動作を説明するためのフローチャートである。本実施例では、以下の動作は動作主体が携帯電話機１００であるとして説明するが、実際にはアプリケーション処理部１０４が、不揮発メモリ１１０あるいは別に内蔵したメモリ（図示省略）にあらかじめ記憶されているアプリケーションプログラムを読み出して動作を実行し、いわば主制御部として各部を制御することで実現されるものとする。つまり、アプリケーション処理部１０４は、ＣＰＵあるいはコンピュータの機能を有する。
【００３５】
ステップＳ１で充電器を装着された携帯電話機１００は、ステップＳ２において装置（携帯電話機）の電源ＯＮ、ＯＦＦの状態を確認する。
【００３６】
ステップＳ２で電源ＯＦＦであった場合には、携帯電話機の液晶画面はＯＦＦにしたままなど、最小限のシステム起動を実施する(ステップＳ３)。
【００３７】
最小限のシステム起動状態で充電を開始し(ステップＳ４)、このときの電池残量を充電前電池残量としてＲＡＭ１２０もしくは不揮発メモリ１１０に記憶する(ステップＳ５)。
【００３８】
次に、接続されている電源が何かを判別する(ステップＳ６)。このとき、電源種類を判別するための仕組みは、ユーザインタフェースによる切り替えや、電源処理部１０２にて充電制御の経路をハードウェア的に検出する機能を備えることで実現される。
【００３９】
接続されている電源が家庭用コンセントなどの場合には、携帯電話機１００の現在位置（エリア）を特定するため、通信処理部１０５もしくはＧＰＳ１０６を起動し(ステップＳ７)、通信処理部１０５によって在圏セル情報を取得するか、もしくはＧＰＳ１０６によって位置情報を取得することによりエリアを特定する（ステップＳ８）。次に、電力会社のサーバ２５にアクセスして、発電電力の構成や温暖化ガス排出に関する情報、すなわち発電電力の発電方法別（火力、水力、原子力、風力など）の割合や発電方法別の温暖化ガスの発生量を含む情報などを電力情報として得る(ステップＳ９)。この情報は携帯電話機１００の不揮発メモリ１１０やＲＡＭ１２０内に保存される(ステップＳ１０)。なお、取得したエリアがどの電力会社から電力供給を受けているかはあらかじめエリア別に電力会社との関係がメモリに記憶されている。また、電力会社別にアクセスすべきサーバもあらかじめ決められ、メモリに記憶されている。
【００４０】
電力会社のサーバへのアクセス及びサーバからの電力情報の取得は自動的に行なわれる。すなわち、アプリケーション処理部１０４は通信処理部１０５を起動しエリアを特定した後、特定したエリアに対応する電力会社のサーバへの接続を行わせ、必要な電力情報の取得を行なわせる。
【００４１】
ここまでの処理を実施して、ステップＳ２で判定した装置状態に応じて元の状態に戻る。すなわち、ステップＳ２で電源ＯＦＦであった場合は、最小限のシステムとして起動されていたシステムを停止させ（ステップＳ１２）、充電中状態(ステップＳ１３)となる。ステップＳ２で電源ＯＮであった場合は、そのまま充電中状態(ステップＳ１３)となる。
【００４２】
図４は、このようにして充電された携帯電話機において、充電が終了した後のフローチャートである。
【００４３】
ステップＳ２１で携帯電話機１００から充電器を取り外す、もしくは充電が完了した携帯電話機１００は、ステップＳ２２で装置（携帯電話機）の電源ＯＮ、ＯＦＦの状態を確認する。電源ＯＦＦの場合には、ステップＳ２３で最小限のシステムを起動して充電終了時の電池残量を充電後電池残量として記憶し（ステップＳ２４）、起動していた最小限のシステムをステップＳ２５で停止後、電源ＯＦＦ状態に戻る（ステップＳ２６）。
【００４４】
その後、ステップＳ２７において電源ＯＮのトリガにより、システム起動するが（ステップＳ２８）、図３のステップＳ５で記憶した充電前電池残量と、図４のステップＳ２４で記憶した充電後電池残量により、充電された総電力量（供給電力量）を算出する(ステップＳ２９)。
【００４５】
次に内部メモリに保存されたプロファイルを参照する(ステップＳ３０)。このプロファイルとは、不揮発メモリ１１０に保存されていることを想定しており、各充電電源により、どの程度の温暖化ガスが発生するかをテーブル化して記憶した情報である。
【００４６】
例えば、携帯電話機１００の内蔵発電機構(太陽電池など)１３０で充電された場合には、温暖化ガス発生量はゼロであり、乾電池による充電設備を用いるのであれば一般的に乾電池製造に要する発生量を固定値としてテーブル化する。
【００４７】
また、図３のステップＳ９で電力会社のサーバ２５より取得した、電力供給構成情報や各発電設備による温暖化ガス排出量も、テーブル化されて保存される。これらの情報を基にして、アプリケーション処理部１０４は充電時の電力供給構成に従った温暖化ガス発生量を算出する（ステップＳ３１）。
【００４８】
このようにして得られた情報は、アプリケーション処理部１０４内で処理され、携帯電話機１００上のアプリケーションで利用することを可能とする。アプリケーションでは、各充電電源の利用時間の累計や、充電に伴う温暖化ガス発生量（ステップＳ３１で算出された値）などを画像表示部に表示する。
【００４９】
以上説明した本発明の実施例によれば、携帯電話機の電力使用量や、その電力を発電する構成などを正しくトレースして、使用した電力量を発生するために生成される温暖化ガス排出量などを、画像表示部によりエンドユーザに正確、かつ定量的に表示提供することができる。
【符号の説明】
【００５０】
１０    発電設備
２０    変電所
２５    電力会社のサーバ
３０    家庭用発電機
４０    家庭用分電盤
１００    携帯電話機
【図１】
2011109586.tif 000003
【図２】
2011109586.tif 000004
【図３】
2011109586.tif 000005
【図４】
2011109586.tif 000006